【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  タービン発電機と、
ＤＣバスと、
前記タービン発電機と前記ＤＣバスとを接続するとともに、ＤＣバスはタービン発電機の速度に依存することなく、電力がタービン発電機からＤＣバスへ供給されるときはＡＣからＤＣへのコンバータとなり、電力がＤＣバスからタービン発電機へ供給されるときはＤＣからＡＣへのコンバータとなる双方向電力コンバータと、
を含んで構成されたタービン発電機制御システム。
【請求項２】  負荷と、
前記負荷と前記ＤＣバスとを接続するとともに、前記ＤＣバスと前記負荷との間で電力を移送させる第２の双方向電力コンバータとをさらに含み、
前記第一及び第二の双方向電力コンバータは協働して、タービン発電機の速度に依存せずに、ＤＣバスを所望の電圧に調整するための分散発電形電力システムを与える電力制御装置となるものである、請求項１に記載のタービン発電機制御システム。
【請求項３】  前記負荷はＤＣ負荷である、請求項２に記載のタービン発電機制御システム。
【請求項４】  前記負荷はＡＣ負荷である、請求項２に記載のタービン発電機制御システム。
【請求項５】  前記負荷は駆動モータを含んでいる、請求項２に記載のタービン発電機制御システム。
【請求項６】  ＡＣ負荷と、
ＡＣ負荷とＤＣバスとを接続するとともに、前記ＤＣバスから前記ＡＣ負荷へ電力が供給されるときはＤＣからＡＣへのコンバータとなり、ＡＣ負荷からＤＣバスへ電力が供給されるときはＡＣからＤＣへのコンバータとなる第二の双方向電力コンバータとを、
さらに含んで構成される請求項１に記載のタービン発電機制御システム。
【請求項７】  前記ＡＣ負荷には商用配電網を含む、請求項６に記載のタービン発電機制御システム。
【請求項８】  エネルギー貯蔵装置と、
前記エネルギー貯蔵装置と前記ＤＣバスとを接続するとともに、前記ＤＣバスとエネルギー貯蔵装置との間でエネルギーをやりとりする第三の双方向電力コンバータとをさらに含み、
前記第一、第二、第三の双方向電力コンバータは協働して、タービン発電機の速度に依存せずに、ＤＣバスを所望の電圧に調整するための分散発電形電力システムを与える電力制御装置となるものである、請求項６に記載のタービン発電機制御システム。
【請求項９】  前記電力制御装置は、前記タービン発電機、前記ＡＣ負荷、前記エネルギー貯蔵装置のいずれかに関連する過渡事象を検出する手段を含んでいる、請求項８に記載のタービン発電機制御システム。
【請求項１０】  前記エネルギー貯蔵装置は、バッテリ、フライホイール、キャパシタのうちの一つである、請求項８に記載のタービン発電機制御システム。
【請求項１１】  第一の双方向電力コンバータは、電力切換えシステムと前記電力切換えシステムに対する制御を行う処理システムとを含み、前記処理システムは、信号プロセッサと前記信号プロセッサに対する制御を行う中央処理ユニットとを更に含み、前記中央処理ユニットは、前記電力コンバータを互いに異なる動作モードに合わせて互いに異なる形態に再構成するものである、請求項１に記載のタービン発電機制御システム。
【請求項１２】  前記タービン発電機は、永久磁石タービン発電機である、請求項１に記載のタービン発電機制御システム。
【請求項１３】  前記ＤＣバスに接続され、前記ＤＣバスが所望の電圧を超えた場合には前記ＤＣバスからエネルギーを消散させる抵抗性負荷をさらに含んでいる、請求項１に記載のタービン発電機制御システム。
【請求項１４】  エネルギー源、負荷、エネルギー貯蔵装置を含む複数のエネルギーコンポーネントに電力を分配するための電力制御装置であって、
ＤＣバスと、
複数の双方向電力コンバータとを含み、
各双方向電力コンバータは、前記エネルギーコンポーネントのうちの一つを前記ＤＣバスと接続するとともに前記電力制御装置に応答し、
前記電力制御装置は、各エネルギーコンポーネントの電力吸収又は放出の仕方及びＤＣバスの調整の仕方を制御することによって分散発電形電力システムを構成する、電力制御装置。
【請求項１５】  ユーティリティ起動動作モード中、前記双方向電力コンバータのうちの一つは、前記双方向電力コンバータのうちの別の一つにより起動のために前記エネルギー源によって必要とされる電力に変換できるよう電力を前記負荷から前記ＤＣバスに及ぼし、前記貯蔵装置は、前記負荷が前記ＤＣバス上のＤＣ電圧を調整している間に前記ＤＣバスから切り離されるものである、請求項１４記載に記載の電力制御装置。
【請求項１６】  ユーティリティ起動動作モード中、前記双方向電力コンバータのうちの一つが前記ＤＣバスを隔離して、前記双方向電力コンバータのうちの別の一つが所要の起動電力を前記ＤＣバスから前記エネルギー源に与えるようになっている、請求項１４記載の電力制御装置。
【請求項１７】  電力の分配を制御する方法であって、
第一の双方向電力コンバータを、ＤＣバスとタービン発電機の間に接続する段階と、
第一のモードで、前記タービン発電機から第一の双方向電力コンバータへＡＣ電力を供給する段階と、
前記第一の双方向電力コンバータを用いて、前記タービン発電機からのＡＣ電力をＤＣ電力へ変換する段階と、
前記ＤＣバスの電圧がタービン発電機の速度に依存せずに、変換されたＤＣ電力を前記第一の双方向電力コンバータからＤＣバスへ供給する段階とを含み、
第二のモードで、前記ＤＣバスから前記第一の双方向電力コンバータへＤＣ電力を供給する段階と、
前記第一の双方向電力コンバータを用いて、前記ＤＣバスからのＤＣ電力をＡＣ電力へ変換する段階と、
前記第一の双方向電力コンバータからの変換されたＡＣ電力を前記タービン発電機へ供給する段階と、
を含む方法。
【請求項１８】  第二の双方向電力コンバータを、ＤＣバスと負荷との間に接続する段階と、
前記第二の双方向電力コンバータからの電力をＤＣバスと負荷との間で移送させる段階と、
をさらに含んでいる請求項１７に記載の方法。
【請求項１９】  前記ＤＣバスとＡＣ負荷との間に第二の双方向電力コンバータを接続する段階と、
第一のモードで、ＡＣ負荷からのＡＣ電力を前記第二の双方向電力コンバータへ供給する段階と、
前記第二の双方向電力コンバータを用いて、前記ＡＣ負荷からのＡＣ電力をＤＣ電力へ変換する段階と、
前記第二の双方向電力コンバータからの変換されたＤＣ電力を、前記ＤＣバスへ供給する段階とを含み、
第二のモードで、前記ＤＣバスからのＤＣ電力を前記第二の双方向電力コンバータへ供給する段階と、
前記第二の双方向電力コンバータを用いて、前記ＤＣバスからのＤＣ電力をＡＣ電力へ変換する段階と、
前記第二の双方向電力コンバータからの変換されたＡＣ電力をＡＣ負荷へ供給する段階とを含み、
前記第一及び第二の双方向電力コンバータは、協働して、ＤＣバスをタービン発電機の速度に依存しない所望の電圧に調整するための分散発電形電力システムを与える電力制御装置となる、請求項１７に記載の方法。
【請求項２０】  第三の双方向電力コンバータをＤＣバスとエネルギー貯蔵装置との間に接続する段階と、
前記第三の双方向電力コンバータからの電力を、ＤＣバスとエネルギー貯蔵装置との間で移送する段階と、
をさらに含んでいる請求項１９に記載の方法。
【請求項２１】  前記ＤＣバスが所望の電圧を超えた場合には抵抗性負荷をＤＣバスに接続してＤＣバスからのエネルギーを消散させる段階をさらに含んでいる、請求項１７に記載の方法。
【請求項２２】  前記タービン発電機、前記ＡＣ負荷、前記エネルギー貯蔵装置のいずれかに関連する過渡事象を検出する段階をさらに含んでいる、請求項１７に記載の方法。